(57)【要約】【課題】測定者自身が心拍数を計数しようと意識しなくても、心拍数を計数することができる心拍センサを提供する。【解決手段】心拍に基づく振動に応じて光信号の伝送状態が変化する光信号伝送手段３を備え、光信号の伝送状態に基づいて心拍に関する心拍データを検知するよう成した心拍センサＳであって、光信号伝送手段３は、発光素子１ａが発光した光信号を伝搬して受光素子１ｄに受光させる光導波路１ｃと、屈折率１以上であって振動に応じて光導波路１ｃとの相対的位置関係が変化する外乱部材２と、を有し、外乱部材２の振動による基準点を挟んだ両方向への往復運動のうち、基準点から一方向側の動作のみに制限する制限手段４が設けられている。【選択図】  図１
2005329254.tif 000002
【特許請求の範囲】
【請求項１】
心拍に基づく振動に応じて光信号の伝送状態が変化する光信号伝送手段を備え、光信号の伝送状態に基づいて心拍に関する心拍データを検知するよう成した心拍センサであって、前記光信号伝送手段は、発光素子が発光した光信号を伝搬して受光素子に受光させる光導波路と、屈折率１以上であって前記振動に応じて光導波路との相対的位置関係が変化する外乱部材と、を有し、
前記外乱部材の振動による基準点を挟んだ両方向への往復運動のうち、基準点から一方向側の動作のみに制限する制限手段が設けられたことを特徴とする心拍センサ。
【請求項２】
前記発光素子及び受光素子並びに光導波路は、同一部材に所定の相対的位置関係を有して配設されたことを特徴とする請求項１記載の心拍センサ。
【請求項３】
請求項１又は２に記載の心拍センサからなる検知部と、検知部により検知された心拍に関する心拍データに基づき人体の有無を判断して検知信号を出力する判断部と、を備えたことを特徴とする人体検知センサ。
【請求項４】
請求項１又は２に記載の心拍センサからなる異常検知部と、異常検知部により検知された心拍に関する心拍データに基づき人体が所定の状態に対して異常であるか否かを判断して警告信号を出力する異常判断部と、を備えたことを特徴とする人体異常検知センサ。
【発明の詳細な説明】
【技術分野】
【０００１】
本発明は、心拍センサ並びにこれを設けた人体検知センサ及び人体異常検知センサに関するものである。
【背景技術】
【０００２】
従来、この種の心拍センサとして、手の指や手首等の肌面に取り付けられるものがある。このものは、肌面へ向かって発光する発光素子と、肌面により反射されてなる反射光を受光する受光素子と、を備えており、受光素子の受光した反射光の強度を測定することにより、肌面近くの血管を流れる血液の流動状態を検知して、その血液の流動状態に基づいて心拍数を計数する。
【特許文献１】特開平５−３２９１１６号公報
【発明の開示】
【発明が解決しようとする課題】
【０００３】
上記した心拍センサにあっては、心拍数を計数しようとする測定者自身が、心拍数を計数しようと意識しない限り、手の指や手首等の肌面に取り付けられないのであるから、取り付けの手間がかかってしまう。又、ついうっかり取り付けを忘れたりしてしまうと、心拍数を計数することができなくなってしまう。
【０００４】
本発明は、上記の点に着目してなされたもので、その目的とするところは、測定者自身が心拍数を計数しようと意識しなくても、心拍数を計数することができる心拍センサを提供することにある。
【課題を解決するための手段】
【０００５】
上記した課題を解決するために、請求項１記載の発明の心拍センサは、心拍に基づく振動に応じて光信号の伝送状態が変化する光信号伝送手段を備え、光信号の伝送状態に基づいて心拍に関する心拍データを検知するよう成した心拍センサであって、光信号伝送手段は、発光素子が発光した光信号を伝搬して受光素子に受光させる光導波路と、屈折率１以上であって前記振動に応じて光導波路との相対的位置関係が変化する外乱部材と、を有し、外乱部材の振動による基準点を挟んだ両方向への往復運動のうち、基準点から一方向側の動作のみに制限する制限手段が設けられた構成にしている。
【０００６】
請求項２記載の発明の心拍センサは、請求項１記載の発明の心拍センサにおいて、発光素子及び受光素子並びに光導波路は、同一部材に所定の相対的位置関係を有して配設された構成にしている。
【０００７】
請求項３記載の発明の人体検知センサは、請求項１又は２に記載の心拍センサからなる検知部と、検知部により検知された心拍に関する心拍データに基づき人体の有無を判断して検知信号を出力する判断部と、を備えた構成にしている。
【０００８】
請求項４記載の発明の人体異常検知センサは、請求項１又は２に記載の心拍センサからなる異常検知部と、異常検知部により検知された心拍に関する心拍データに基づき人体が所定の状態に対して異常であるか否かを判断して警告信号を出力する異常判断部と、を備えた構成にしている。
【発明の効果】
【０００９】
請求項１記載の発明の心拍センサによれば、光信号伝送手段の屈折率１以上の外乱部材が、心拍に基づく振動に応じて光導波路との相対的位置関係が変化すると、光導波路での光信号の伝搬状態が変動し、光信号の伝送状態が変化することにより、心拍に関する心拍データが検知されるので、人体が接触する箇所のうち、心拍に基づく振動が伝わる部分に適宜取り付けておくことによって、測定者自身が心拍数を計数しようと意識して人体の指や手首に取り付けなくても、心拍数を計数することができる。
【００１０】
又、外乱部材は、制限手段により基準点から一方向側の動作のみに制限されるから、振動に固有な往復運動により、基準点から他方向側の動作をするタイミングでも、常時、基準点にリセットされることになるので、光導波路との間の距離の精度を高くすることができる。
【００１１】
請求項２記載の心拍センサによれば、請求項１記載の発明の効果に加え、発光素子及び受光素子並びに光導波路が所定の相対的位置関係を有して配設された部材を設置することにより、発光素子及び受光素子並びに光導波路を別々に設置しなくてもよくなり、設置作業がやり易くなる。
【００１２】
請求項３記載の発明の人体検知センサは、請求項１又は２に記載の心拍センサからなる検知部により検知された心拍データは、人体に固有のものであるから、判断部が、その心拍データに基づき、人体の有無を判断することでもって、人体の有無を信頼性高く検知することができる。
【００１３】
請求項４記載の発明の人体異常検知センサは、請求項１又は２に記載の心拍センサからなる検知部により検知された心拍データは、人体が異常のときに確実に変化するものであるから、異常判断部が、その心拍データに基づき、人体が所定の状態に対して異常であるか否かを判断することでもって、人体の異常を信頼性高く検知することができる。
【発明を実施するための最良の形態】
【００１４】
（実施形態１）
本発明の第１実施形態の心拍センサＳを図１乃至図５に基づいて以下に説明する。１はプリント基板で、その表面に、発光素子１ａ、発光用集光ミラー１ｂ、光導波路１ｃ、受光素子１ｄ、受光用集光ミラー１ｅ、アンプ１ｆ、フィルタ１ｇ、マイクロコンピュータ１ｈが実装により配設されている。詳しくは、光導波路１ｃは、成形によって形成され、この成形時にグレーティング1ｊが同時成形されている。そして、この光導波路１ｃは、プリント基板１に接着されることにより配設される。なお、この光導波路１ｃは、プリント基板１を作成するときに、表面の一部に透明な樹脂をスピンコートにより薄く均一に形成して、グレーティング1ｊをフォトレジスト等により形成されることにより、構成されてもよい。
【００１５】
又、屈折率１以上の外乱部材２が、光導波路1ｃに重合する状態で、心拍等の外部からの振動に応じて光導波路１ｃとの間の距離が変化して、光導波路１ｃとの間の相対的位置関係が変わるよう設けられている。この外乱部材２は、光導波路１ｃと共に、心拍に基づく振動に応じて光信号の伝送状態が変化する光信号伝送手段３を構成している。なお、この外乱部材２としては、アクリル樹脂、ポリカーボネイト、スチロール、ガラス等が挙げられる。
【００１６】
さらに、図１に示したように、本実施形態の心拍センサＳには、振動による基準点を挟んだ両方向への外乱部材２の往復動作のうち、基準点から、光導波路１ｃ側である一方向側の動作のみに制限する制限部材４（制限手段）が設けられている。又、この制限部材４を支持するために、プリント基板１上には支持部１ｋが立設されている。
【００１７】
図３に示したように、外乱部材２は、前述した制限部材４により、動作が制限されているので、この外乱部材２に接続された振動印加部材５に結合されているクッション６に、心拍に基づく振動が印加されると、制限部材４に当接している状態から、光導波路１ｃとの間の距離が短くなる方向へのみ変位する。また、この心拍センサＳは、クッション６に座る人の体重や緩慢な動きからなる外力が外乱部材２に伝わらないよう、それらの外力を吸収するためのスプリング等の緩衝部材７上に支持されている。
【００１８】
本実施形態でのプリント基板1 は、発光用集光ミラー１ｂや受光用集光ミラー１ｅが実装により配設されているが、例えば、プリント基板1 はＭＩＤ等の成形品により構成され、両集光ミラー１ｂ，１ｅ が一体成形されるとともに、外乱部材２を支持するための支持部１ｋが一体成形により立設されていてもよい。
【００１９】
次に、光信号の伝搬について説明する。発光素子１ａから照射された光信号は、凹面鏡からなる発光用集光ミラー１ｂにより、光導波路１ｃの一端へ向かって反射される。この光導波路１ｃは、一端部にグレーティング１ｊが設けられているので、発光素子１ａからの光信号を効率良く受光し、受光した光信号を他端側へと伝搬する。この光導波路１ｃは、他端部にもグレーティング１ｊが設けられているので、凹面鏡からなる受光用集光ミラー１ｅへ向かって、伝搬した光信号を効率良く照射して、受光用集光ミラー１ｅにより反射された光信号が、受光素子１ｄにより受光される。
【００２０】
光信号は、上記したように、光導波路１ｃにより伝搬されるわけであるが、詳しく述べると、光導波路１ｃの表面近くで伝搬されており、僅かながら外側へ染み出ながら伝搬されている。従って、外乱部材２が、例えば、１０μｍ程度に接近すると、光導波路１ｃ近辺の屈折率分布に変化をきたし、その屈折率分布によって、伝搬している光信号が影響を受けて、光信号の伝搬状態が変化するので、伝搬している光信号に損失が発生することになる。なお、この損失は、外乱部材２と光導波路１ｃとの間の相対的位置関係の変化に基づいて変化するので、この光導波路１ｃでの光信号の伝搬状態に基づいて、このような損失の変化を起こさせる振動を検知することができる。
【００２１】
次に、図４に基づいて、信号処理について説明する。初めに、発光素子１ａが、発光回路（図示せず）により電流駆動されて発光し、前述したように、光導波路１ｃにより光信号が伝搬されて、受光素子１ｄにより光信号が受光される。次に、受光素子１ｄに受光された光信号による電流は、電流電圧変換回路（図示せず）により、電圧信号に変換される。次に、その電圧信号は、アンプ１ｆ内の増幅回路により増幅され、続いて、フィルタ１ｇ内のフィルタ回路により、外乱ノイズが除去するフィルタリングを経て、心拍信号が取出される検波を行う。
【００２２】
次に、図５に基づいて、心拍信号について説明する。この実線で示された心拍信号は、本心拍センサＳを椅子におけるお尻を載せる箇所に埋め込んだときに得られたものであり、３〜５毎秒の周波数成分を含んでいる。そして、この心拍信号の包絡線である点線の１周期が、心拍に対応しているので、心拍信号の波形をＡＤ変換してから、マイクロコンピュータ1hに入力すると、マイクロコンピュータ１ｈによって、信号波形を解析して、心拍に関する心拍データの一つである心拍数を計数することができる。
【００２３】
なお、発光素子１ａを直流駆動するのではなく、ある周波数で変調をかけておき、その変調をかけられてなる周波数成分のみを増幅することにより、信号（Ｓ）／ノイズ（Ｎ）比を大きくすることができ、周囲のノイズが大きい場合でも、心拍信号を取出すことができる。
【００２４】
かかる心拍センサＳにあっては、心拍に基づく振動に応じて伝送状態が変化する光信号のその伝送状態に基づいて、心拍に関する心拍データを検知するのであるから、人体が接触する箇所のうち、心拍に基づく振動が伝わる部分に適宜取り付けておくことによって、測定者自身が心拍数を計数しようと意識して人体の指や手首に取り付けなくても、心拍数を計数することができる。
【００２５】
また、屈折率１以上の外乱部材２は、振動に応じて光導波路１ｃとの相対的位置関係が変化すると、光導波路１ｃでの光信号の伝搬状態が変動して、光信号の伝送状態が変化するので、光信号の伝送状態に基づいて、心拍に関する心拍データを検知することができる。
【００２６】
また、発光素子１ａ及び受光素子１ｄ並びに光導波路１ｃが配設された部材であるプリント基板１を設置することにより、発光素子１ａ及び受光素子１ｄ並びに光導波路１ｃを別々に設置しなくてもよくなり、設置作業が行い易くなるとともに、発光素子１ａ及び受光素子１ｄ並びに光導波路１ｃの相対的位置関係が所定の位置関係になっているので、特性のバラツキを抑えることができる。
【００２７】
さらに、外乱部材２は、制限部材４により基準点から一方向側の動作のみに制限されるから、振動に固有な往復運動により、基準点から他方向側の動作をするタイミングでも、常時、基準点にリセットされることになるので、光導波路１ｃとの間の距離の精度を高くすることができる。
【００２８】
なお、本実施形態では発光素子１ａ及び受光素子１ｄ並びに光導波路１ｃは、プリント板に所定の相対的位置関係を有して配設されているが、プリント基板１に配設されるものに限るわけではなく、個々に配設されてもよい。
【００２９】
（実施形態２）
次に、本発明の第１実施形態の心拍センサＳを図６に基づいて説明する。この人体検知センサは、実施形態１の心拍センサＳが組み込まれたものである。
【００３０】
人体検知センサＳ１は、例えば、ベッドに組み込まれたものであって、実施形態１の心拍センサＳからなる検知部８と、検知部８からの心拍データに基づいて、人体の有無を判断する判断回路（判断部）９とを備えている。
【００３１】
詳しくは、判断回路９は、心拍データである心拍信号の有無や心拍による振動に基づき、人体の有無を判断する。つまり、心拍信号の無いときは、当然のことながら、人体が存在しないし、心拍による振動には、常時、３〜５毎秒の周波数成分を含んでいるのであるから、この周波数成分が含まれていないときは、人体が存在しないと判断する。また、心拍信号の包絡線は、実施形態１で前述したように、周期的であるから、周期的でないときも、人体が存在しないと判断する。そして、判断回路９は、人体の有無を判断した後に、判断結果を示す検知信号を出力する。
【００３２】
かかる人体検知センサＳ１にあっては、心拍センサＳからなる検知部８により検知された心拍データは、人体に固有のものであるから、判断回路９が、その心拍データに基づき、人体の有無を判断することでもって、人体の有無を信頼性高く検知することができる。
【００３３】
なお、この人体検知センサＳ１を乗り物や映画館等の興行施設の座席に組み込むことによって、空席状況を検知することができ、また、団体旅行をする観光バスの座席に組み込むことによって、人員把握をすることができ、また、病院の病棟のベッドに組み込むことによって、患者の在ベッド状況を把握することができるようになる。
【００３４】
（実施形態３）
次に、本発明の第１実施形態の心拍センサＳを図７乃至図１１に基づいて説明する。この人体異常検知センサは、実施形態１の心拍センサＳが組み込まれたものである。
【００３５】
図７及び図８に示すように、人体異常検知センサＳ２は、例えば、自動車の運転座席に組み込まれたものであって、前述した心拍センサＳからなる検知部８と、検知部８からの心拍データに基づいて、人体が所定の状態に対して異常であるか否かを判断する異常判断回路（異常判断部）１０とを備えている。
【００３６】
詳しくは、異常判断回路１０は、心拍データである心拍数に基づいて、運転者の心の状態を検知して、運転者の体調の異変を検知したり、居眠り運転をしていないかどうかを判断する。つまり、心拍数が急激な変動しているときや心拍数が上限を超えて変動しているときは、緊張状態や急病により異常状態にあると判断し、心拍数が下限値を超えているときは、居眠り運転をしている可能性があると判断する。
【００３７】
なお、図７に示すように、この異常判断回路１０は、測距センサＳ３や超音波センサＳ４等の人体検知センサＳ５から出力された人体検知信号によって、異常検知が開始される。そして、異常判断回路１０は、人体が所定の状態に対して異常であると判断した後に、音声や画面表示により警告信号を出力したり、居眠り運転をしているときには覚醒のために振動を加えたりし、危険と感じられる程異常であると判断されたときには、自動者の停止させるよう、自動車の緊急ブレーキ１１に、緊急停止する旨の信号を出力する。
【００３８】
次に、この心拍センサＳが組み込まれた人体異常検知センサＳ２の別の例を図９乃至図１１に基づいて説明する。この人体異常検知センサＳ２は、例えば、洋式トイレの便座シート１５ａ及び床面シート１５ｂとして設けられたものであって、前述した心拍センサＳからなる検知部８と、検知部８からの心拍データに基づいて、人体が所定の状態に対して異常であるか否かを判断する異常判断回路（異常判断部）１０とを備えている。
【００３９】
詳しくは、異常判断回路１０は、心拍データである心拍数に基づいて、トイレに入っている人体の健康状態を検知して、トイレに入っている人体の体調の急激な変化が起きていないかどうかを判断する。つまり、心拍数が急激な変動しているときや心拍数が上限を超えて変動しているときは、急激な血圧上昇や興奮状態といった人体の体調の急激な変化が起きた異常状態にあると判断し、心拍数が上限を超えて変動しているときは、心臓機能の急激な低下による異常状態にあると判断する。さらには、心拍数が検知されていないときにな、心臓停止といった極めて重大な異常状態になっていると判断する。
【００４０】
なお、この異常判断回路１０は、測距センサＳ３、熱線センサＳ６、超音波センサＳ４等の人体検知センサＳ５から出力された人体検知信号によって、異常検知が開始される。そして、判断回路9 は、人体が所定の状態に対して異常であると判断した後に、音声や画面表示により、トイレの外部へ警告信号を出力し、救助を促すようにしている。
【００４１】
かかる人体異常検知センサＳ２は、心拍センサＳからなる検知部８により検知された心拍データは、人体が異常のときに確実に変化するものであるから、異常判断回路１０が、その心拍データに基づき、人体が所定の状態に対して異常であるか否かを判断することにより、人体の異常を信頼性高く検知することができる。
【図面の簡単な説明】
【００４２】
【図１】本発明の実施形態１を示す正面図である。
【図２】同上の平面図である。
【図３】同上のものを座席シートに組み込んだ状態を示す正面図である。
【図４】同上による処理を示す説明図である。
【図５】同上による出力信号の説明図である。
【図６】本発明の実施形態２における心拍センサを組み込んだ人体検知センサのブロック図である。
【図７】本発明の実施形態３における心拍センサを組み込んだ人体異常検知センサのブロック図である。
【図８】図８に示した人体異常検知センサを搭載した自動車の内部の概略図である。
【図９】同上の心拍センサを組み込んだ人体異常検知センサのブロック図である。
【図１０】図９の人体異常検知センサが配設されたトイレの側面図である。
【図１１】図９の人体異常検知センサが配設されたトイレの平面図である。
【符号の説明】
【００４３】
１ａ  発光素子
１ｄ  受光素子
１ｃ  光導波路
２    外乱部材
３    光信号伝送手段
４    制限部材（制限手段）
８    検知部
９    判断回路（判断部）
１０  異常判断回路（異常判断部）
Ｓ    心拍センサ
Ｓ１  人体検知センサ
Ｓ２  人体異常検知センサ
【図１】
2005329254.tif 000003
【図２】
2005329254.tif 000004
【図３】
2005329254.tif 000005
【図４】
2005329254.tif 000006
【図５】
2005329254.tif 000007
【図６】
2005329254.tif 000008
【図７】
2005329254.tif 000009
【図８】
2005329254.tif 000010
【図９】
2005329254.tif 000011
【図１０】
2005329254.tif 000012
【図１１】
2005329254.tif 000013